(57)【特許請求の範囲】
【請求項１】
多重搬送波を支援する端末が主搬送波を管理する方法であって、
基地局から主搬送波変更命令を受信するステップと、
前記主搬送波をサービング主搬送波から目標主搬送波に変更するステップと、を含み、  前記主搬送波変更命令はサービング主搬送波の次状態表示を含むことを特徴とする管理方法。
【請求項２】
前記変更するステップは、
前記目標主搬送波が活性化状態の場合、スキャニング作業なしに行われ、
前記目標主搬送波が非活性化状態の場合、前記目標主搬送波をスキャニングした後に行われることを特徴とする請求項１に記載の管理方法。
【請求項３】
前記主搬送波変更命令に対する受信確認を前記基地局に送信するステップをさらに含むことを特徴とする請求項１に記載の管理方法。
【請求項４】
多重搬送波を支援する基地局が主搬送波を管理する方法であって、
サービング主搬送波を用いて端末と制御信号の送受信を行うステップと、
前記主搬送波を前記サービング主搬送波から目標主搬送波に変更するために端末に主搬送波変更命令を送信するステップと、を含み、
前記主搬送波変更命令はサービング主搬送波の次状態表示を含むことを特徴とする管理方法。
【請求項５】
前記目標主搬送波が非活性化状態の場合、前記目標主搬送波に対するスキャニングを要請するステップと、
前記端末から前記スキャニング結果の報告を受けるステップと、をさらに含むことを特徴とする請求項４に記載の管理方法。
【請求項６】
前記端末からスキャニング要請ＡＡＩ＿ＳＣＮ＿ＲＥＱメッセージを受信するステップと、
前記端末にスキャニング応答ＡＡＩ＿ＳＣＮ＿ＲＳＰメッセージを送信するステップと、をさらに含むことを特徴とする請求項５に記載の管理方法。
【請求項７】
前記主搬送波変更命令は、搬送波管理命令ＡＡＩ＿ＣＭ＿ＣＭＤメッセージによって受信されることを特徴とする請求項４に記載の管理方法。
【請求項８】
前記ＡＡＩ＿ＣＭ＿ＣＭＤメッセージは、レンジング指示子フィールドを含むことを特徴とする請求項７に記載の管理方法。
【請求項９】
前記サービング主搬送波の次状態フィールドが「１」に設定されている場合、変更される前の前記サービング主搬送波は、前記変更するステップの後に補助搬送波として活性化を維持し、
前記サービング主搬送波の次状態フィールドが「０」に設定されている場合、前記サービング主搬送波は、前記変更するステップの後に非活性化されることを特徴とする請求項１に記載の管理方法。
【請求項１０】
前記変更するステップの後に、
前記サービング主搬送波の新たな搬送波インデックスは、前記目標主搬送波の前の搬送波インデックスに割当てられ、
前記目標主搬送波の新たな搬送波インデックスは、前記サービング主搬送波の前の搬送波インデックスに割当てられることを特徴とする請求項９に記載の管理方法。
【請求項１１】
前記主搬送波変更命令は、前記主搬送波変更のための動作時間フィールドを含み、
前記動作時間フィールドが示す時間まで、前記目標主搬送波にデータおよび制御情報の受信準備を完了するステップをさらに含むことを特徴とする請求項９に記載の管理方法。
【請求項１２】
前記主搬送波変更命令は、前記主搬送波変更のための動作時間フィールドを含み、
前記動作時間フィールドが示す時間前に、前記レンジング指示子フィールドによってレンジングを行うステップをさらに含むことを特徴とする請求項９に記載の管理方法。
【請求項１３】
前記ＡＡＩ＿ＣＭ＿ＣＭＤメッセージは、前記主搬送波の変更、補助搬送波の活性化および非活性化状態の変更のうちの少なくとも１つの動作を区分するために用いられる動作コードフィールドを含むことを特徴とする請求項７に記載の管理方法。
【請求項１４】
サービング主搬送波から目標主搬送波に前記主搬送波が変更されたことを知らせるメッセージを前記端末から受信するステップをさらに含むことを特徴とする請求項４に記載の管理方法。
【請求項１５】
前記主搬送波が変更されたことを知らせるメッセージを前記端末から受信するステップは、前記目標主搬送波が非活性化の場合に行われることを特徴とする請求項１４に記載の管理方法。
【請求項１６】
前記主搬送波が変更されたことを知らせるメッセージは、搬送波変更表示ＡＡＩ＿ＣＣ＿ＩＮＤメッセージによって受信されることを特徴とする請求項１４に記載の管理方法。
【請求項１７】
前記端末から前記主搬送波変更要請を受信するステップをさらに含むことを特徴とする請求項４に記載の管理方法。
【請求項１８】
前記主搬送波変更要請は、搬送波変更要請ＡＡＩ＿ＣＣ＿ＲＥＱメッセージによって伝達され、前記ＡＡＩ＿ＣＣ＿ＲＥＱメッセージは、前記目標主搬送波の候補リストを含むことを特徴とする請求項１７に記載の管理方法。
【請求項１９】
前記主搬送波変更命令に対する受信確認を前記端末から受信するステップをさらに含むことを特徴とする請求項４に記載の管理方法。
【発明の詳細な説明】
【技術分野】
【０００１】
本発明は、基地局の搬送波管理装置、搬送波管理方法、端末および端末の搬送波管理方法に関する。
【背景技術】
【０００２】
無線通信システムにおいて、端末および基地局は、データ伝送帯域を拡張するために複数の搬送波を運用することができ、これを多重搬送波（ｍｕｌｔｉ  ｃａｒｒｉｅｒ）という。多重搬送波を支援する無線通信システムにおいて、搬送波は、２種類に分類されるが、１つは主搬送波（ｐｒｉｍａｒｙ  ｃａｒｒｉｅｒ）であり、他の１つは補助搬送波（ｓｅｃｏｎｄａｒｙ  ｃａｒｒｉｅｒ）である。
【０００３】
主搬送波は、基地局と端末との間の各種制御情報およびデータを送受信するための搬送波であって、複数の搬送波のうちの１つの搬送波が主搬送波として使用できる。
【０００４】
補助搬送波は、主搬送波を介して制御情報を送受信している状態で、データ伝送帯域を拡張するための搬送波である。この時、すべての搬送波に対する資源割当情報が主搬送波を介して伝送され、端末は、主搬送波の資源割当情報を受信した後、補助搬送波のデータ送信の可否を把握し、当該データを処理する。
【０００５】
一方、端末の主搬送波および補助搬送波は、負荷の分散およびチャンネルの変化などの理由で運用中の変更が可能である。
【先行技術文献】
【特許文献】
【０００６】
【特許文献１】韓国特許出願公開第２００６−０１３３１０８号
【特許文献２】米国特許出願公開第２００８−０２８７１３７号
【発明の概要】
【発明を解決しようとする課題】
【０００７】
本発明が解決しようとする技術的課題は、多重搬送波を支援する無線接続システムにおいて、端末の搬送波の運用状態を変更するための効率的な手順を提供することである。
【課題を解決するための手段】
【０００８】
本発明の一実施形態にかかる搬送波管理方法は、多重搬送波を支援する端末が主搬送波を管理する方法であって、基地局から主搬送波変更命令を受信するステップと、前記主搬送波をサービング主搬送波から目標主搬送波に変更するステップとを含む。
【０００９】
前記主搬送波変更命令は、搬送波管理命令ＡＡＩ＿ＣＭ＿ＣＭＤメッセージによって受信できる。
【００１０】
前記ＡＡＩ＿ＣＭ＿ＣＭＤメッセージは、目標主搬送波インデックスフィールドと、サービング主搬送波の次状態表示フィールドと、動作時間ＡＴフィールドと、レンジング指示子フィールドとのうちの少なくとも１つを含むことができる。
【００１１】
前記サービング主搬送波の次状態フィールドが「１」に設定されている場合、変更される前の前記サービング主搬送波は、前記変更するステップの後に補助搬送波として活性化を維持し、前記サービング主搬送波の次状態フィールドが「０」に設定されている場合、前記サービング主搬送波は、前記変更するステップの後に非活性化される。
【００１２】
前記変更するステップの後に、前記サービング主搬送波の新たな搬送波インデックスは、前記目標主搬送波の前の搬送波インデックスに割当てられ、前記目標主搬送波の新たな搬送波インデックスは、前記サービング主搬送波の前の搬送波インデックスに割当てられる。
【００１３】
前記動作時間フィールドが示す時間まで、前記目標主搬送波にデータおよび制御情報の受信準備を完了することができる。
【００１４】
前記動作時間フィールドが示す時間前に、前記レンジング指示子フィールドによってレンジングを行うステップをさらに含むことができる。
【００１５】
前記ＡＡＩ＿ＣＭ＿ＣＭＤメッセージは、前記主搬送波の変更、補助搬送波の活性化および非活性化状態の変更のうちの少なくとも１つの動作を区分するために用いられる動作コードフィールドを含むことができる。
【００１６】
前記変更を前記基地局に知らせるメッセージを送信するステップをさらに含むことができる。
【００１７】
前記メッセージを送信するステップは、前記目標主搬送波が非活性化状態の場合に実行できる。
【００１８】
前記変更を前記基地局に知らせるメッセージは、搬送波変更表示ＡＡＩ＿ＣＣ＿ＩＮＤメッセージによって伝達できる。
【００１９】
前記変更するステップは、前記目標主搬送波が活性化状態の場合、スキャニング作業なしに実行できる。
【００２０】
前記変更するステップは、前記目標主搬送波が非活性化状態の場合、前記目標主搬送波をスキャニングした後に実行できる。
【００２１】
前記基地局に前記主搬送波変更要請を送信するステップをさらに含むことができる。
【００２２】
前記主搬送波変更要請は、搬送波変更要請ＡＡＩ＿ＣＣ＿ＲＥＱメッセージによって伝達され、前記ＡＡＩ＿ＣＣ＿ＲＥＱメッセージは、前記目標主搬送波の候補リストを含むことができる。
【００２３】
前記主搬送波変更命令に対する受信確認を前記基地局に送信するステップをさらに含むことができる。
【００２４】
本発明の他の実施形態にかかる搬送波管理方法は、多重搬送波を支援する基地局が主搬送波を管理する方法であって、サービング主搬送波を用いて前記端末と制御信号の送受信を行うステップと、端末に主搬送波変更命令を送信するステップとを含む。
【００２５】
前記主搬送波変更命令は、搬送波管理命令ＡＡＩ＿ＣＣ＿ＣＭＤメッセージによって送信することができる。
【００２６】
前記ＡＡＩ＿ＣＭ＿ＣＭＤメッセージは、目標主搬送波インデックスフィールドと、サービング主搬送波の次状態表示フィールドと、動作時間ＡＴフィールドと、レンジング指示子フィールドとのうちの少なくとも１つを含むことができる。
【００２７】
前記サービング主搬送波の次状態フィールドが「１」に設定されている場合、変更される前の前記サービング主搬送波は、前記変更するステップの後に補助搬送波として活性化を維持し、前記サービング主搬送波の次状態フィールドが「０」に設定されている場合、前記サービング主搬送波は、前記変更するステップの後に非活性化される。
【００２８】
前記変更するステップの後に、前記サービング主搬送波の新たな搬送波インデックスは、前記目標主搬送波の前の搬送波インデックスに割当てられ、前記目標主搬送波の新たな搬送波インデックスは、前記サービング主搬送波の前の搬送波インデックスに割当てられる。
【００２９】
前記動作時間フィールドが示す時間まで、前記目標主搬送波にデータおよび制御情報の受信準備を完了するステップをさらに含むことができる。
【００３０】
前記動作時間フィールドが示す時間前に、前記レンジング指示子フィールドによってレンジングを行うステップをさらに含むことができる。
【００３１】
前記ＡＡＩ＿ＣＭ＿ＣＭＤメッセージは、前記主搬送波の変更、補助搬送波の活性化および非活性化状態の変更のうちの少なくとも１つの動作を区分するために用いられる動作コードフィールドを含むことができる。
【００３２】
サービング主搬送波から目標主搬送波に前記主搬送波が変更されたことを知らせるメッセージを前記端末から受信するステップをさらに含むことができる。
【００３３】
前記主搬送波が変更されたことを知らせるメッセージを前記端末から受信するステップは、前記目標主搬送波が非活性化の場合に実行できる。
【００３４】
前記主搬送波が変更されたことを知らせるメッセージは、搬送波変更表示ＡＡＩ＿ＣＣ＿ＩＮＤメッセージによって受信できる。
【００３５】
前記目標主搬送波が非活性化状態の場合、前記目標主搬送波に対するスキャニングを要請するステップと、前記端末から前記スキャニング結果の報告を受けるステップとをさらに含むことができる。
【００３６】
前記端末からスキャニング要請ＡＡＩ＿ＳＣＮ＿ＲＥＱメッセージを受信するステップと、前記端末にスキャニング応答ＡＡＩ＿ＳＣＮ＿ＲＳＰメッセージを送信するステップとをさらに含むことができる。
【００３７】
前記ＡＡＩ＿ＳＣＮ＿ＲＥＱメッセージは、スキャニング間隔情報および前記スキャニングのために用いられる活性化搬送波のキャリアインデックスフィールドを含むことができる。
【００３８】
前記ＡＡＩ＿ＳＣＮ＿ＲＳＰメッセージは、スキャニング間隔情報および前記スキャニングのために用いられる活性化搬送波のキャリアインデックスフィールドを含むことができる。
【００３９】
前記端末から前記主搬送波変更要請を受信するステップをさらに含むことができる。
【００４０】
前記主搬送波変更要請は、搬送波変更要請ＡＡＩ＿ＣＣ＿ＲＥＱメッセージによって伝達され、前記ＡＡＩ＿ＣＣ＿ＲＥＱメッセージは、前記目標主搬送波の候補リストを含むことができる。
【００４１】
前記主搬送波変更命令に対する受信確認を前記端末から受信するステップをさらに含むことができる。
【００４２】
本発明の他の実施形態にかかる端末は、多重搬送波を支援する端末であって、基地局から主搬送波変更命令を受信する受信部と、前記主搬送波変更命令によって主搬送波をサービング主搬送波から目標主搬送波に変更する変更部とを含む。
【００４３】
前記基地局に前記主搬送波の変更を要請する変更要請部と、前記目標主搬送波が非活性化状態の場合、前記目標主搬送波に対するスキャニングを行うスキャニング処理部とをさらに含むことができる。
【００４４】
前記変更を前記基地局に知らせるメッセージを送信する命令応答部をさらに含むことができる。
【００４５】
本発明の他の実施形態にかかる基地局の管理装置は、多重搬送波を支援する基地局の管理装置であって、端末に主搬送波変更命令を送信する変更命令部と、前記端末から前記主搬送波変更命令に対する受信確認を受信する受信部とを含む。
【００４６】
前記受信部は、前記主搬送波の変更結果をさらに受信することができる。
【００４７】
本発明の他の実施形態にかかる搬送波管理方法は、多重搬送波を支援する端末が補助搬送波を管理する方法であって、基地局から補助搬送波の活性化および非活性化状態の変更命令を受信するステップと、前記補助搬送波の状態を変更するステップと、前記変更を前記基地局に知らせるメッセージを送信するステップとを含む。
【００４８】
前記補助搬送波が非活性化状態の場合、前記基地局から前記補助搬送波に対してスキャニング要請を受けるステップと、前記基地局に前記スキャニング結果を報告するステップとをさらに含むことができる。
【００４９】
本発明の他の実施形態にかかる搬送波管理方法は、多重搬送波を支援する基地局が補助搬送波を管理する方法であって、端末に補助搬送波の活性化および非活性化状態の変更命令を送信するステップと、前記補助搬送波の状態が変更されたことを前記端末から受信するステップとを含む。
【００５０】
前記補助搬送波が非活性化状態の場合、前記補助搬送波に対してスキャニングを要請するステップと、前記端末から前記スキャニング結果の報告を受けるステップとをさらに含むことができる。
【発明の効果】
【００５１】
本発明によれば、多重搬送波を支援する無線接続システムにおいて、多重搬送波を効率的に管理し変更することにより、システムの伝送効率を向上させることができる。
【図面の簡単な説明】
【００５２】
【図１】本発明の一実施形態にかかる移動通信システムを概略的に示す図である。
【図２】本発明の一実施形態にかかる端末を概略的に示すブロック図である。
【図３】本発明の一実施形態にかかる基地局管理装置を概略的に示すブロック図である。
【図４】本発明の一実施形態にかかる主搬送波の変更方法を示すフローチャートである。
【図５】本発明の他の実施形態にかかる主搬送波の変更方法を示すフローチャートである。
【図６】本発明の一実施形態にかかる補助搬送波の状態を変更する方法を示すフローチャートである。
【図７】本発明の他の実施形態にかかる補助搬送波の活性化および非活性化状態の変更方法を示すフローチャートである。
【発明を実施するための形態】
【００５３】
以下、添付した図面を参考にして、本発明の実施形態について、本発明の属する技術分野における通常の知識を有する者が容易に実施できるように詳細に説明する。ただし、本発明は、様々な異なる形態で実現可能であり、ここで説明する実施形態に限定されない。そして、図面において、本発明を明確に説明するために説明と関係のない部分は省略し、明細書全体にわたって類似の部分については類似の図面符号を付した。
【００５４】
明細書全体において、ある部分がある構成要素を「含む」という時、これは、特に反対となる記載がない限り、他の構成要素を除外するのではなく、他の構成要素をさらに含むことができることを意味する。また、明細書に記載された「…部」、「…器」、「モジュール」などの用語は、少なくとも１つの機能や動作を処理する単位を意味し、これは、ハードウェアやソフトウェア、またはハードウェアおよびソフトウェアの組合せによって実現可能である。
【００５５】
本明細書において、端末（ｔｅｒｍｉｎａｌ）は、移動局（Ｍｏｂｉｌｅ  Ｓｔａｔｉｏｎ、ＭＳ）、移動端末（Ｍｏｂｉｌｅ  Ｔｅｒｍｉｎａｌ、ＭＴ）、加入者局（Ｓｕｂｓｃｒｉｂｅｒ  Ｓｔａｔｉｏｎ、ＳＳ）、携帯加入者局（Ｐｏｒｔａｂｌｅ  Ｓｕｂｓｃｒｉｂｅｒ  Ｓｔａｔｉｏｎ、ＰＳＳ）、ユーザ装置（Ｕｓｅｒ  Ｅｑｕｉｐｍｅｎｔ、ＵＥ）、アクセス端末（Ａｃｃｅｓｓ  Ｔｅｒｍｉｎａｌ、ＡＴ）などを指し示すこともでき、端末、移動端末、加入者局、携帯加入者局、ユーザ装置、アクセス端末などの全部または一部の機能を含むこともできる。
【００５６】
本明細書において、基地局（ｂａｓｅ  ｓｔａｔｉｏｎ、ＢＳ）は、アクセスポイント（Ａｃｃｅｓｓ  Ｐｏｉｎｔ、ＡＰ）、無線アクセス局（Ｒａｄｉｏ  Ａｃｃｅｓｓ  Ｓｔａｔｉｏｎ、ＲＡＳ）、ノードＢ（ＮｏｄｅＢ）、高度化ノードＢ（ｅｖｏｌｖｅｄ  ＮｏｄｅＢ、ｅＮｏｄｅＢ）、送受信基地局（Ｂａｓｅ  Ｔｒａｎｓｃｅｉｖｅｒ  Ｓｔａｔｉｏｎ、ＢＴＳ）、ＭＭＲ（Ｍｏｂｉｌｅ  Ｍｕｌｔｉｈｏｐ  Ｒｅｌａｙ）−ＢＳなどを指し示すこともでき、アクセスポイント、無線アクセス局、ノードＢ、ｅＮｏｄｅＢ、送受信基地局、ＭＭＲ−ＢＳなどの全部または一部の機能を含むこともできる。
【００５７】
以下、図面を参考にして、本発明の一実施形態にかかる基地局の搬送波管理装置、搬送波管理方法、端末の搬送波管理装置および搬送波管理方法について詳細に説明する。
【００５８】
図１は、本発明の一実施形態にかかる移動通信システムを概略的に示す図であり、図２は、本発明の一実施形態にかかる端末を概略的に示すブロック図であり、図３は、本発明の一実施形態にかかる基地局管理装置を概略的に示すブロック図である。
【００５９】
図１に示すように、移動通信システムは、端末１００、１０１、１０２と、基地局２００とを含む。
【００６０】
端末１００は、基地局２００に接続してデータおよび制御信号の送受信を行い、基地局２００は、端末１００に資源を割当て、端末１００とデータおよび制御信号の送受信を行う。
【００６１】
図２に示すように、端末１００は、送信部１１０と、受信部１２０とを含む。
【００６２】
送信部１１０は、搬送波管理に関するメッセージを基地局２００に送信し、変更要請部１１１と、変更部１１２と、命令応答部１１３と、スキャニング処理部１１４とを含む。
【００６３】
変更要請部１１１は、基地局２００に主搬送波の変更を要請したり、補助搬送波の活性化および非活性化状態の変更を要請する。このような変更の要請は、搬送波変更要請（ｃａｒｒｉｅｒ  ｃｈａｎｇｅ  ｒｅｑｕｅｓｔ、以下、「ＡＡＩ＿ＣＣ＿ＲＥＱ」という。）メッセージによって伝達される。
【００６４】
変更部１１２は、基地局２００の命令によって、主搬送波を変更したり、補助搬送波の活性化および非活性化状態の変更を行う。
【００６５】
命令応答部１１３は、基地局２００から主搬送波の変更命令、または補助搬送波の活性化および非活性化状態の変更命令を受信した後に、関連する動作に対する完了応答を基地局２００に送信する。このような応答は、搬送波変更表示（ｃａｒｒｉｅｒ  ｃｈａｎｇｅ  ｉｎｄｉｃａｔｉｏｎ、以下、「ＡＡＩ＿ＣＣ＿ＩＮＤ」という。）メッセージによって伝達される。
【００６６】
スキャニング処理部１１４は、主搬送波に変更される搬送波が非活性化状態の場合、当該搬送波をスキャニングすることを要請したり、スキャニング結果を基地局２００に報告する。このような要請は、スキャニング要請（ｓｃａｎｎｉｎｇ  ｒｅｑｕｅｓｔ、以下、「ＡＡＩ＿ＳＣＮ＿ＲＥＱ」という。）メッセージによって伝達され、スキャニング結果は、スキャニング報告（ｓｃａｎｎｉｎｇ  ｒｅｐｏｒｔ、以下、「ＡＡＩ＿ＳＣＮ＿ＲＥＰ」という。）メッセージによって伝達される。
【００６７】
受信部１２０は、基地局２００から主搬送波の変更命令、または補助搬送波の活性化および非活性化状態の変更命令を受信する。また、受信部１２０は、基地局２００からスキャニング要請に対するスキャニング応答を受信することができる。
【００６８】
図３に示すように、本発明の一実施形態にかかる基地局管理装置２１０は、基地局２００に含まれている部分であって、基地局の搬送波運用を管理する。基地局管理装置２１０は、送信部２１１と、受信部２１２とを含む。
【００６９】
送信部２１１は、変更命令部２１３と、スキャニング処理部２１４とを含む。
【００７０】
変更命令部２１３は、端末１００に主搬送波の変更を命令したり、補助搬送波の活性化および非活性化状態の変更を命令する。このような命令は、搬送波管理命令（ｃａｒｒｉｅｒ  ｍａｎａｇｅｍｅｎｔ  ｃｏｍｍａｎｄ、以下、「ＡＡＩ＿ＣＣ＿ＣＭＤ」という。）メッセージによって伝達される。
【００７１】
スキャニング処理部２１４は、端末１００からのスキャニング要請に対してスキャニング応答を送信する。このような応答は、スキャニング応答（ｓｃａｎｎｉｎｇ  ｒｅｓｐｏｎｓｅ、以下、「ＡＡＩ＿ＳＣＮ＿ＲＳＰ」という。）メッセージによって伝達される。
【００７２】
受信部２１２は、端末１００から、ＡＡＩ＿ＣＣ＿ＲＥＱメッセージ、ＡＡＩ＿ＣＣ＿ＩＮＤメッセージ、ＡＡＩ＿ＳＣＮ＿ＲＥＱメッセージ、およびＡＡＩ＿ＳＣＮ＿ＲＥＰメッセージを受信する。
【００７３】
以下、図４を参照して、本発明の一実施形態にかかる主搬送波の変更方法について詳細に説明する。
【００７４】
図４は、本発明の一実施形態にかかる主搬送波の変更方法を示すフローチャートである。
【００７５】
図４に示すように、端末１００と基地局２００は、制御信号の送受信を行う（Ｓ４１１）。その過程で、端末１００は、必要に応じて、基地局２００にサービング主搬送波ＳＣから目標主搬送波ＴＣに主搬送波を変更するための搬送波変更要請を行う（Ｓ４１２）。ステップＳ４１２は、ＡＡＩ＿ＣＣ＿ＲＥＱメッセージによって行われる。ＡＡＩ＿ＣＣ＿ＲＥＱメッセージは、目標主搬送波ＴＣのための候補搬送波リストを含むことができる。
【００７６】
すると、基地局２００は、端末１００に搬送波変更命令を行う（Ｓ４１３）。ステップＳ４１３は、ＡＡＩ＿ＣＭ＿ＣＭＤメッセージによって行われる。
【００７７】
この時、ＡＡＩ＿ＣＭ＿ＣＭＤメッセージは、目標主搬送波インデックス（ｔａｒｇｅｔ  ｐｒｉｍａｒｙ  ｃａｒｒｉｅｒ  ｉｎｄｅｘ）フィールドと、サービング主搬送波の次状態表示（ｉｎｄｉｃａｔｉｏｎ  ｏｆ  ｔｈｅ  ｎｅｘｔ  ｓｔａｔｅ  ｏｆ  ｓｅｒｖｉｎｇ  ｐｒｉｍａｒｙ  ｃａｒｒｉｅｒ）フィールドと、動作時間（ａｃｔｉｏｎ  ｔｉｍｅ）ＡＴフィールドと、レンジング指示子（ｒａｎｇｉｎｇ  ｉｎｄｉｃａｔｏｒ）フィールドとを含む。ここで、端末１００が搬送波集団（ｃａｒｒｉｅｒａｇ  ｇｒｅｇａｔｉｏｎ）を支援しない場合、サービング主搬送波の次状態表示は常に「０」に設定される。動作時間ＡＴとは、端末１００が目標主搬送波に変更される時間および目標主搬送波を介して通信する準備が整う時間を意味する。「サービング主搬送波の次状態表示フィールド」が「１」に設定されていると、前の主搬送波は、変更後も補助搬送波として活性化状態を維持する。「サービング主搬送波の次状態表示フィールド」が「０」に設定されていると、主搬送波の変更手順の後に、前の主搬送波は非活性化される。
【００７８】
仮に、「目標主搬送波インデックスフィールド」に関する割当情報が含まれていない場合は、前の主搬送波の新たな「目標主搬送波インデックスフィールド」は、新たな主搬送波の前の「目標主搬送波インデックスフィールド」に自動的に割当てられる。
【００７９】
端末１００は、動作時間フィールドが示す時間まで、目標主搬送波にデータおよび制御情報の受信準備を完了することができ、端末１００は、動作時間フィールドが示す時間前に、必要な場合、レンジング指示子フィールドによってレンジングを行うことができる。
【００８０】
一方、ＡＡＩ＿ＣＭ＿ＣＭＤメッセージは、主搬送波変更のためのメッセージ以外の用途に使用できるが、ＡＡＩ＿ＣＭ＿ＣＭＤメッセージ内に含まれている動作コード（ａｃｔｉｏｎ  ｃｏｄｅ）フィールドが「１」に設定された場合、ＡＡＩ＿ＣＭ＿ＣＭＤメッセージを主搬送波変更のためのメッセージとして用いることができる。
【００８１】
端末１００は、動作時間ＡＴにおいて、主搬送波を現在の主搬送波ＳＣから目標主搬送波ＴＣに変更する。
【００８２】
一方、端末１００は、基地局２００に搬送波変更命令に対する受信確認（ＭＳＧ  ａｃｋｎｏｗｌｅｄｇｅｍｅｎｔ）を送信する（Ｓ４１４）。
【００８３】
次に、端末１００は、搬送波変更表示を基地局２００に送信する（Ｓ４１５）。ステップＳ４１５は、ＡＡＩ＿ＣＣ＿ＩＮＤメッセージによって伝達される。基地局２００は、ＡＡＩ＿ＣＣ＿ＩＮＤメッセージを受信することにより、主搬送波の変更手順が完了したことを認知する。
【００８４】
その後、端末１００および基地局２００は、目標主搬送波ＴＣを介して制御信号の送受信を行う（Ｓ４１６）。
【００８５】
一方、端末１００は、目標主搬送波ＴＣを介してデータおよび制御信号の送受信を行う準備が整った時、要求帯域の大きさが０の帯域要求（ｂａｎｄｗｉｄｔｈ  ｒｅｑｕｅｓｔ）メッセージを基地局２００に送信することができる。基地局２００は、目標主搬送波ＴＣを介して端末から帯域要求メッセージを受信すると、目標主搬送波ＴＣに変更が完了したものと見なし、目標主搬送波ＴＣを用いて端末１００のデータおよび制御信号を送信することができる。
【００８６】
図４のような手順は、端末１００の活性化された補助搬送波のうちのいずれか１つを目標主搬送波ＴＣとする場合である。一方、目標主搬送波ＴＣは、端末１００と基地局２００との間に割当てられた搬送波のうち、独自の無線接続が可能となるようにすべての制御チャンネルが支援される（ｆｕｌｌｙ  ｃｏｎｆｉｇｕｒｅｄ）搬送波に限定する。
【００８７】
このように、必要に応じて主搬送波を変更するメッセージを定義することにより、多重搬送波を支援する無線通信システムの搬送波運営が効率的に実行できる。
【００８８】
以下、図５を参考にして、本発明の他の実施形態にかかる主搬送波の変更方法について詳細に説明する。
【００８９】
図５は、本発明の他の実施形態にかかる主搬送波の変更方法を示すフローチャートである。
【００９０】
図５に示すように、端末１００と基地局２００は、制御信号の送受信を行う（Ｓ５１１）。その過程で、端末１００は、必要に応じて、基地局２００にサービング主搬送波から目標主搬送波に主搬送波変更のための搬送波変更要請を行う（Ｓ５１２）。ステップＳ５１２は、ＡＡＩ＿ＣＣ＿ＲＥＱメッセージによって行われる。
【００９１】
この時、目標主搬送波ＴＣが非活性化状態の搬送波の場合は、主搬送波の変更前に非活性化状態の目標主搬送波ＴＣに対してチャンネル測定を行うことができる。このために、基地局２００は、端末１００にＡＡＩ＿ＳＣＮ＿ＲＳＰメッセージによってスキャニング命令を送信する（Ｓ５１３）。この時、ＡＡＩ＿ＳＣＮ＿ＲＳＰメッセージには、チャンネル測定情報が必要な搬送波のリストが含まれており、搬送波のリストは、端末１００の非活性化状態の搬送波のサブセットになるとよい。
【００９２】
端末１００は、基地局２００に他の通信を中止してスキャニングを行うための要請をＡＡＩ＿ＳＣＮ＿ＲＥＱメッセージによって基地局２００に送信する（Ｓ５１４）。
【００９３】
すると、基地局２００は、これに対する応答をＡＡＩ＿ＳＣＮ＿ＲＳＰメッセージによって端末１００に送信する（Ｓ５１５）。
【００９４】
端末１００は、スキャニング結果に関する報告をＡＡＩ＿ＳＣＮ＿ＲＥＰメッセージによって基地局２００に送信する（Ｓ５１６）。基地局２００は、スキャニング結果に関する報告を基に主搬送波を変更するか否かを決定することができる。
【００９５】
次に、図４で説明したように、基地局２００は、ＡＡＩ＿ＣＭ＿ＣＭＤメッセージによって端末１００に搬送波変更命令を行い（Ｓ５１７）、端末１００は、基地局２００に搬送波変更命令に対する受信確認（ＭＳＧ  ａｃｋｎｏｗｌｅｄｇｅｍｅｎｔ）を送信し（Ｓ５１８）、端末１００は、ＡＡＩ＿ＣＣ＿ＩＮＤメッセージによって搬送波変更表示を基地局２００に送信し（Ｓ５１９）、端末１００および基地局２００は、変更された目標主搬送波ＴＣを介して制御信号の送受信を行う（Ｓ５２０）。
【００９６】
以下、図６を参考にして、本発明の一実施形態にかかる補助搬送波状態の変更方法について詳細に説明する。
【００９７】
図６は、本発明の一実施形態にかかる補助搬送波の状態を変更する方法を示すフローチャートである。
【００９８】
図６に示すように、端末１００と基地局２００は、制御信号の送受信を行う（Ｓ６１１）。その過程で、端末１００は、必要に応じて、基地局２００に搬送波の活性化および非活性化状態の変更要請を行う（Ｓ６１２）。ステップＳ６１２は、ＡＡＩ＿ＣＣ＿ＲＥＱメッセージによって行われる。
【００９９】
すると、基地局２００は、端末１００に搬送波の活性化および非活性化状態の変更命令を行う（Ｓ６１３）。ステップＳ６１３は、ＡＡＩ＿ＣＭ＿ＣＭＤメッセージによって行われる。
【０１００】
この時、ＡＡＩ＿ＣＭ＿ＣＭＤメッセージは、目標補助搬送波の物理的搬送波インデックス（ｐｈｙｓｉｃａｌ  ｃａｒｒｉｅｒ  ｉｎｄｅｘ  ｏｆ  ｔｈｅ  ｔａｒｇｅｔ  ｓｅｃｏｎｄａｒｙ  ｃａｒｒｉｅｒ）フィールドと、目標補助搬送波の論理的搬送波インデックス（ｌｏｇｉｃａｌ  ｃａｒｒｉｅｒ  ｉｎｄｅｘ  ｏｆ  ｔｈｅ  ｔａｒｇｅｔ  ｓｅｃｏｎｄａｒｙ  ｃａｒｒｉｅｒ）フィールドと、レンジング指示子（ｒａｎｇｉｎｇ  ｉｎｄｉｃａｔｏｒ）フィールドと、動作時間（ａｃｔｉｏｎ  ｔｉｍｅ）フィールドとを含むことができる。仮に、ＡＡＩ＿ＣＭ＿ＣＭＤメッセージ内に固定レンジングコード（ｄｅｄｉｃａｔｅｄ  ｒａｎｇｉｎｇ  ｃｏｄｅ）が含まれていると、これを用いて活性化される補助搬送波にレンジングを行う。この場合、基地局２００の固定レンジングコードは、補助搬送波の活性化が成功裏に完了したことを確認する手段として使用できる。
【０１０１】
端末１００は、基地局２００に搬送波変更命令に対する受信確認（ＭＳＧ  ａｃｋｎｏｗｌｅｄｇｅｍｅｎｔ）を送信し（Ｓ６１４）、端末１００は、ＡＡＩ＿ＣＣ＿ＩＮＤメッセージによって搬送波の活性化および非活性化状態の変更表示を基地局２００に送信し（Ｓ６１５）、端末１００および基地局２００は、制御信号の送受信を行う（Ｓ６１６）。
【０１０２】
以下、図７を参考にして、本発明の他の実施形態にかかる補助搬送波の活性化および非活性化状態を変更する方法について詳細に説明する。
【０１０３】
図７は、本発明の他の実施形態にかかる補助搬送波の活性化および非活性化状態の変更方法を示すフローチャートである。
【０１０４】
図７に示すように、端末１００と基地局２００は、制御信号の送受信を行う（Ｓ７１１）。その過程で、端末１００は、基地局２００にＡＡＩ＿ＣＣ＿ＲＥＱメッセージによって補助搬送波の活性化および非活性化状態の変更要請を行う（Ｓ７１２）。
【０１０５】
この時、補助搬送波が非活性化状態の搬送波の場合は、補助搬送波に対してチャンネル測定を行うことができる。このために、基地局２００は、端末１００にＡＡＩ＿ＳＣＮ＿ＲＳＰメッセージによってスキャニング命令を送信する（Ｓ７１３）。
【０１０６】
次に、端末１００は、基地局２００に他の通信を中止してスキャニングを行うための要請をＡＡＩ＿ＳＣＮ＿ＲＥＱメッセージによって基地局２００に送信する（Ｓ７１４）。すると、基地局２００は、これに対する応答をＡＡＩ＿ＳＣＮ＿ＲＳＰメッセージによって端末１００に送信する（Ｓ７１５）。端末１００は、スキャニング結果に関する報告をＡＡＩ＿ＳＣＮ＿ＲＥＰメッセージによって基地局２００に送信する（Ｓ７１６）。
【０１０７】
次に、基地局２００は、ＡＡＩ＿ＣＭ＿ＣＭＤメッセージによって端末１００に補助搬送波の活性化および非活性化状態の変更命令を行い（Ｓ７１７）、端末１００は、基地局２００に搬送波変更命令に対する受信確認（ＭＳＧ  ａｃｋｎｏｗｌｅｄｇｅｍｅｎｔ）を送信し（Ｓ７１８）、端末１００は、ＡＡＩ＿ＣＣ＿ＩＮＤメッセージによって補助搬送波の活性化および非活性化状態の変更表示を基地局２００に送信し（Ｓ７１９）、端末１００および基地局２００は、制御信号の送受信を行う（Ｓ７２０）。
【０１０８】
以上、本発明の実施形態について詳細に説明したが、本発明の権利範囲は、これに限定されるものではなく、下記の請求範囲で定義している本発明の基本概念を利用した当業者の様々な変形および改良形態も、本発明の権利範囲に属する。
【図１】
0005714566.tif 000002
【図２】
0005714566.tif 000003
【図３】
0005714566.tif 000004
【図４】
0005714566.tif 000005
【図５】
0005714566.tif 000006
【図６】
0005714566.tif 000007
【図７】
0005714566.tif 000008